(57)【要約】【課題】  円形編機の編成過程を順調に、正確に行なえるようにする。【解決手段】  円形編機に配置されたカット盤と、該カット盤の底部にスライド可能な方式で取り付けられる調整ブロックと、調整輪と調整輪固定ピンを具えた調整機構とを具えている。該調整ブロックは一側にラックを具えた部品とされ、該カット盤が該調整ブロックと連通する滑り溝と、カット盤側辺に位置する孔を具え、該滑り溝内に、調整輪が枢設され、該調整輪は該調整ブロックのラックと噛み合うネジ山、目盛りを具えたナット、該ナットとの間に円形凹溝を具えた環部を具えている。該円形凹溝に調整輪固定ピンが挿通されて調整輪固定ピンにより調整輪の位置が固定され、並びに上述のカット盤側辺の孔が調整輪固定ピンを露出させる。調整輪固定ピンの調整輪の作動により、調整ブロックのラックが調整輪のネジ山に沿って移動し、これにより調整ブロックの位置が調整される。【選択図】        図２
2005126882.tif 000002
【特許請求の範囲】
【請求項１】
円形編機に配置されたカット盤（１）と、該カット盤（１）の底部にスライド可能な方式で取り付けられる調整ブロック（２）と、調整機構を具え、該調整機構は調整輪（３）と調整輪固定ピン（４）を具え、
該調整ブロック（２）は一側にラック（６）を具えた部品とされ、該カット盤（１）は該調整ブロック（２）と連通する滑り溝（５）を具え、該滑り溝（５）内に、調整輪（３）が枢設され、該調整輪（３）は該調整ブロック（２）のラック（６）と噛み合うネジ山（７）、ナット（８）、該ナット（８）との間に円形凹溝（９）を具えた環部（１０）を具え、該円形凹溝（９）にカット盤（１）の側部より調整輪固定ピン（４）が挿通され、該調整機構の調整輪（３）の作動により、調整ブロック（２）が駆動され移動することを特徴とする、円形編機のラック式調整輪。
【請求項２】
請求項１記載の円形編機のラック式調整輪において、カット盤（１）の底部にスライド軌道（５２）が設けられて、該スライド軌道（５２）は該調整ブロック（２）に対応する形状を具え、該スライド軌道（５２）に調整ブロック（２）がスライド可能に取り付けられたことを特徴とする、円形編機のラック式調整輪。
【請求項３】
請求項１記載の円形編機のラック式調整輪において、滑り溝（５）が調整輪（３）のネジ山（７）を調整ブロック（２）のラック（６）と噛み合わせられる構造とされたことを特徴とする、円形編機のラック式調整輪。
【請求項４】
請求項１記載の円形編機のラック式調整輪において、調整輪固定ピン（４）が円形凹溝（９）を挿通して調整輪（３）を位置決めする部品とされたことを特徴とする、円形編機のラック式調整輪。
【請求項５】
請求項１記載の円形編機のラック式調整輪において、調整輪固定ピン（４）が円柱状とされたことを特徴とする、円形編機のラック式調整輪。
【発明の詳細な説明】
【技術分野】
【０００１】
本発明は一種の円形編機のラック式調整輪に係り、特に、調整ブロックを正確な位置へと移動調整するのに用いられ、円形編機の編成過程をさらに順調に、正確に行なえるようにする装置に関する。
【背景技術】
【０００２】
図１は周知の上げカム微調整装置の構造表示図である。それは、ターゲットシート１１、ターゲットシート１１に設けられ並びに複数の上げカム１６が螺子止めされたスライドブロック１２、ターゲットシート１１の上端に配置されてネジ山を具えた微調整部１３、ターゲットシート１１の下端に配置された限位ブロック１４、及び限位ブロック１４とスライドブロック１２の間に配置されたスプリング１５、を具えている。
【０００３】
そのうち、微調整部１３の一端の案内斜面１３１はスライドブロック１２の凹溝１２１中に進入し、並びに凹溝１２１の案内斜面１２１１と面接触し、これにより、操作者が微調整部１３を回すと、この微調整部１３がそのネジ山に沿って回転してターゲットシート１１より突出し、この時、微調整部１３がスライドブロック１２を係止し、この動作により微調整部１３の一端の案内斜面１３１がスライドブロック１２の案内斜面１２１１と押圧の効果を発生し、並びにこれによりスライドブロック１２を微調整部１３の案内斜面１３１に沿って下向きに移動させ、反対方向に微調整部１３を回す時、微調整部はそのネジ山の回転によりターゲットシート１１に進入し、このとき微調整部１３の一端の案内斜面１３１がスライドブロック１２の案内斜面１２１１が面接触し、且つターゲットシート１１の下端の限位ブロック１４とスライドブロック１２の間にスプリング１５が設けられたことにより、スライドブロック１２が微調整部１３の案内斜面１３１に沿って上向きに移動する。
【０００４】
周知の円形編機のラック式調整輪は、そのターゲットシート１１下端の限位ブロック１４とスライドブロック１２の間に配置されたスプリング１５が、長時間にわたりスライドブロック１２と限位ブロック１４の押圧を受けるために弾性疲労を発生してもとの弾性を喪失しやすい。このためスライドブロック１２に対して回復動作の調整を行なう時、正確に位置決めが行なえなくなり、円形編機が不良製品を発生しやすくなり、且つ限位ブロック１４とスライドブロック１２の間のスプリング１５の使用寿命は相当に短く、スプリング１５をある期間使用すると、経常的にメンテナンスや交換を行なわねばならず、それに多くの時間がかかり、作業時間コストと材料コストを増加した。
【発明の開示】
【発明が解決しようとする課題】
【０００５】
本発明の主要な目的は、上述の従来の技術の欠点を解決し、欠点の存在を無くすことにあり、即ち、本発明は、ラックを具えた調整ブロックと、ネジ山を具えた調整輪を利用し、そのうち該ネジ山と該ラックを噛み合わせ、調整ブロックを調整輪のネジ山の軌跡によりスライドさせて調整ブロックを正確な位置に移動させらることができ、これにより円形編機の編成過程を更に順調に、正確となすものとする。
【課題を解決するための手段】
【０００６】
請求項１の発明は、円形編機に配置されたカット盤（１）と、該カット盤（１）の底部にスライド可能な方式で取り付けられる調整ブロック（２）と、調整機構を具え、該調整機構は調整輪（３）と調整輪固定ピン（４）を具え、
該調整ブロック（２）は一側にラック（６）を具えた部品とされ、該カット盤（１）は該調整ブロック（２）と連通する滑り溝（５）を具え、該滑り溝（５）内に、調整輪（３）が枢設され、該調整輪（３）は該調整ブロック（２）のラック（６）と噛み合うネジ山（７）、ナット（８）、該ナット（８）との間に円形凹溝（９）を具えた環部（１０）を具え、該円形凹溝（９）にカット盤（１）の側部より調整輪固定ピン（４）が挿通され、該調整機構の調整輪（３）の作動により、調整ブロック（２）が駆動され移動することを特徴とする、円形編機のラック式調整輪としている。
請求項２の発明は、請求項１記載の円形編機のラック式調整輪において、カット盤（１）の底部にスライド軌道（５２）が設けられて、該スライド軌道（５２）は該調整ブロック（２）に対応する形状を具え、該スライド軌道（５２）に調整ブロック（２）がスライド可能に取り付けられたことを特徴とする、円形編機のラック式調整輪としている。
請求項３の発明は、請求項１記載の円形編機のラック式調整輪において、滑り溝（５）が調整輪（３）のネジ山（７）を調整ブロック（２）のラック（６）と噛み合わせられる構造とされたことを特徴とする、円形編機のラック式調整輪としている。
請求項４の発明は、請求項１記載の円形編機のラック式調整輪において、調整輪固定ピン（４）が円形凹溝（９）を挿通して調整輪（３）を位置決めする部品とされたことを特徴とする、円形編機のラック式調整輪としている。
請求項５の発明は、請求項１記載の円形編機のラック式調整輪において、調整輪固定ピン（４）が円柱状とされたことを特徴とする、円形編機のラック式調整輪としている。
【発明の効果】
【０００７】
本発明の円形編機のラック式調整輪は、ラックを具えた調整ブロックと、ネジ山を具えた調整輪を利用し、そのうち該ネジ山と該ラックを噛み合わせ、調整ブロックを調整輪のネジ山の軌跡によりスライドさせて調整ブロックを正確な位置に移動させられ、これにより円形編機の編成過程を更に順調に、正確となすことができる。
【発明を実施するための最良の形態】
【０００８】
本発明は、円形編機に配置されたカット盤と、該カット盤の底部にスライド可能な方式で取り付けられる調整ブロックと、調整輪と調整輪固定ピンを具えた調整機構とを具えている。該調整ブロックは一側にラックを具えた部品とされ、該カット盤が該調整ブロックと連通する滑り溝と、カット盤側辺に位置する孔を具え、該滑り溝内に、調整輪が枢設され、該調整輪は該調整ブロックのラックと噛み合うネジ山、目盛りを具えたナット、該ナットとの間に円形凹溝を具えた環部を具えている。該円形凹溝に調整輪固定ピンが挿通されて調整輪固定ピンにより調整輪の位置が固定され、並びに上述のカット盤側辺の孔が調整輪固定ピンを露出させる。
【０００９】
調整輪固定ピンの調整輪の作動により、調整ブロックのラックが調整輪のネジ山に沿って移動し、これにより調整ブロックの位置が調整される。
【実施例１】
【００１０】
図２は本発明の立体分解図である。図示されるように、本発明の円形編機のラック式調整輪は、カット盤（１）、調整ブロック（２）、調整機構を具えている。該カット盤（１）の底部にはスライド軌道（５２）が設けられて調整ブロック（２）が組み合わされ、該調整ブロック（２）がスライド軌道（５２）内で平行にスライド可能とされ、また調整ブロック（２）の一側にラック（６）が設けられている。調整機構は、ネジ山（７）を具えた調整輪（３）と、調整輪固定ピン（４）とを具えている。カット盤（１）は調整ブロック（２）と連通する滑り溝（５）を具え、調整輪（３）が該滑り溝（５）に挿入され並びに調整ブロック（２）に接触し、カット盤（１）の側辺に孔（５１）が設けられて調整輪固定ピン（４）が挿入され、調整輪固定ピン（４）が調整輪（３）を固定する。この調整輪（３）は、ラック（６）と噛み合うネジ山（７）と、ネジ山（７）の延伸部分に位置する環部（１０）と、目盛りを具えたナット（８）と、ナット（８）と環部（１０）の間に位置する円形凹溝（９）とを具え、該円形凹溝（９）は調整輪固定ピン（４）の挿通に供され、該調整輪固定ピン（４）はカット盤（１）の側辺の孔（５１）より露出する。
【００１１】
図３は本発明の立体外観図である。本発明は円形編機に設置される。調整輪（３）が回されると、調整輪（３）のネジ山（７）に噛み合うラック（６）を具えた調整ブロック（２）がスライド軌道（５２）内で移動し、並びに調整輪（３）の目盛りの変化を記録することで、その他の複数の調整輪（３）を同じ目盛りに調整すれば、対応する調整ブロック（２）を同じ位置とすることができ、円形編機の編成過程を更に順調に、正確に行なうことができる。  図４、５は図３のＡ−Ａ断面動作図である。図示されるように、円形編機のラック式調整輪は、調整輪（３）がカット盤（１）の滑り溝（５）に挿入されて、調整輪（３）が滑り溝（５）を通り調整ブロック（２）のラック（６）に噛み合い、さらに調整輪固定ピン（４）がカット盤（１）の孔（５１）に挿入されて並びにナット（８）と環部（１０）の間の円形凹溝（９）中に挿通されることにより、調整輪（３）のカット盤（１）における位置が固定される。調整輪（３）が回される時、調整輪（３）はすでに調整輪固定ピン（４）でカット盤（１）の固定位置に固定されているため、ネジ山（７）に対応するラック（６）が駆動されて全体の調整ブロック（２）がカット盤（１）のスライド軌道（５２）に沿って平行に移動する。
【００１２】
以上の実施例は本発明の実施範囲を限定するものではなく、本発明に基づきなしうる細部の修飾或いは改変は、いずれも本発明の請求範囲に属するものとする。
【図面の簡単な説明】
【００１３】
【図１】周知の上げカム微調整装置の構造表示図である。
【図２】本発明の立体分解図である。
【図３】本発明の立体外観図である。
【図４】図３のＡ−Ａ断面動作図である。
【図５】図３のＡ−Ａ断面動作図である。
【符号の説明】
【００１４】
１１  ターゲットシート
１２  スライドブロック
１２１  凹溝
１２１１  案内斜面
１３  微調整部
１３１  案内斜面
１４  限位ブロック
１５  スプリング
１  カット盤
２  調整ブロック
３  調整輪
４  調整輪固定ピン
５  滑り溝
５１  孔
５２  スライド軌道
６  ラック
７  ネジ山
８  ナット
９  円形凹溝
１０  環部
【図１】
2005126882.tif 000003
【図２】
2005126882.tif 000004
【図３】
2005126882.tif 000005
【図４】
2005126882.tif 000006
【図５】
2005126882.tif 000007